(57)【要約】  【課題】  緊急時、例えば痴漢等に襲われたり悪戯されたりしたとき或いはしそうになった時に緊急であることを外部に知らせる（警報を発する）ことができる新規な携帯電話機を提供する。  【解決手段】  緊急時に操作される緊急キーＥＫを少なくとも一つ備え、緊急時に上記緊急キーＥＫが操作されると、電源がオン時には直ぐに、電源がオフ時には電源キーＰＫの操作を伴うことなく電源をオン状態にした後、予め設定された緊急を告げる音声が音声発生手段（スピーカ）１８から発するようにする。  更には、音声のみならず、画像（静止画、動画）によっても警報を発するようにしても良い。  また、予め設定された電話番号の電話機にコールすることにより緊急を告げるようにしても良い。【選択図】  図１
2008118403.tif 000002
【特許請求の範囲】
【請求項１】
緊急時に操作される緊急キーを少なくとも一つ備え、
緊急時に上記緊急キーが操作されると、電源がオン時には直ぐに、電源がオフ時には電源キーの操作を伴うことなく電源をオン状態にした後、予め設定された緊急を告げる音声が音声発生手段から発するようにされた
ことを特徴とする携帯電話機。
【請求項２】
前記緊急を告げる音声を発すると共に、緊急を知らせる動画又は静止画の画像を表示手段により表示するようにされた
ことを特徴とする請求項１記載の携帯電話機。
【請求項３】
前記緊急キーが緊急用以外の機能をも果たすようにされた
ことを特徴とする請求項１又は２記載の携帯電話機。
【請求項４】
緊急時に操作される緊急キーを少なくとも一つ備え、
緊急時に上記緊急キーが操作されると、電源がオン時には直ぐに、電源がオフ時には電源キーの操作を伴うことなく電源をオン状態にした後、予め設定された電話番号の電話機へ自動的に呼び出し、通話状態の形成を或いは緊急を告げる予め設定された音声の信号を受信する状態の形成をするための発信をするようにされた
ことを特徴とする携帯電話機。
【請求項５】
前記予め設定された電話番号の電話機へ緊急を告げる予め設定された音声の信号を受信する状態の形成と共に、緊急を知らせる、予め設定された動画又は静止画の画像を表示手段により表示させる状態の形成をするための発信をするようにされた
ことを特徴とする請求項４記載の携帯電話機。
【請求項６】
前記緊急キーが緊急用以外の機能をも果たすようにされた
ことを特徴とする請求項４又は５記載の携帯電話機。
【発明の詳細な説明】
【技術分野】
【０００１】
本発明は、緊急時、例えば痴漢等に襲われたり悪戯されたりしたとき或いはしそうになった時に緊急であることを外部に知らせることができる新規な携帯電話機に関する。
【背景技術】
【０００２】
例えば、携帯電話機に関しては、種々の技術開発が為され、その成果が各種文献、例えば特開２００３−２９６００６号公報、特開２００４−２０２２２号公報等により公表されている。
そして、携帯電話機は機能が増える一方で、益々便利になりつつある。
【０００３】
しかしながら、従来の携帯電話機は、緊急時、例えば女性が痴漢等に襲われたり悪戯されたりしたとき或いはされそうになった時に緊急であることを簡単な操作で、迅速に外部に知らせるようにするための特別の機能を持つようにはされていなかった。
【特許文献１】特開２００３−２９６００６号公報
【特許文献１】特開２００４−２０２２２号公報
【発明の開示】
【発明が解決しようとする課題】
【０００４】
ところで、上述したように、従来の携帯電話機は、緊急時、例えば女性が痴漢等に襲われたりしたとき、簡単な操作で、迅速に外部に知らせるようにするための特別の機能を持つようにはされていなかったので、被害を回避するのに役に立たなかったのが実状である。この点について、詳しく説明すると次の通りである。
【０００５】
昨今、女性が通勤時に電車やバス等のなかで痴漢に悪戯をされる事件が多発している。そこで、その事件を防止するために、例えば鉄道会社が通勤時間帯において各通勤電車の特定の車輌を女性専用車輌として男性の乗車を禁止することによって痴漢事件を防止するという対策が講じられているが、女性専用車輌を設けることには限界があり、根本的な解決手段にはなり得ず、痴漢を完全に撲滅することができていないのが実状である。
【０００６】
その原因の一つとして、一部の気が強い勝ち気な人を除けば女性の多くは痴漢に遭うとすくんでしまい、大きな声で「やめてください。」とか、「この人痴漢です。助けてください。」とか叫んで、痴漢を撃退したり、助けを求めたりすることができず、ただ恥ずかしさと驚きで黙ったまま為すがままになり、声が出せず、周りの人が痴漢について気がつかない場合が多いことにある。
その場合、女性が携帯電話機を持っていても痴漢の被害に遭ってることを他の人に報せることには役には立たないといえる。
【０００７】
というのは、携帯電話機は、電車等の車内では通常の使用が禁止され、特に、シルバーシートの付近では電源を切っておくことが義務づけられているからである。勿論、痴漢行為の被害に遭うことは緊急避難に該当し、携帯電話機の電源を入れて助けを求めるメッセージを発するのに使用することは許されると思われる。
しかし、痴漢行為にあっているときに、携帯電話機を開き、電源キーをプッシュしさらに、予め設定しておいた緊急メッセージを発生する操作をするということは実際上困難乃至不可能であった。
【０００８】
本発明は、このような問題を解決すべく為されたものであり、緊急時、例えば痴漢等に襲われたり悪戯されたりしたとき或いはしそうになった時に緊急であることを外部に知らせることができる新規な携帯電話機を提供することを目的とする。
【課題を解決するための手段】
【０００９】
請求項１の携帯電話機は、緊急時に操作される緊急キーを少なくとも一つ備え、緊急時に上記緊急キーが操作されると、電源がオン時には直ぐに、電源がオフ時には電源キーの操作を伴うことなく電源をオン状態にした後、予め設定された緊急を告げる音声が音声発生手段から発するようにされたことを特徴とする。
【００１０】
請求項２の携帯電話機は、請求項１記載の携帯電話機において、前記緊急を告げる音声を発すると共に、緊急を知らせる動画又は静止画の画像を表示手段により表示するようにされたことを特徴とする。
請求項３の携帯電話機は、請求項１又は２記載の携帯電話機において、前記緊急キーが緊急用以外の機能をも果たすようにされたことを特徴とする。
【００１１】
請求項４の携帯電話機は、緊急時に操作される緊急キーを一つ備え、緊急時に上記緊急キーが操作されると、電源がオン時には直ぐに、電源がオフ時には電源キーの操作を伴うことなく電源をオン状態にした後、予め設定された電話番号の電話機へ自動的に呼び出し、通話状態の形成を或いは緊急を告げる予め設定された音声の信号を受信する状態の形成をするための発信をするようにされたことを特徴とする。
【００１２】
請求項５の携帯電話機は、請求項４記載の携帯電話機において、前記予め設定された電話番号の電話機へ緊急を告げる予め設定された音声の信号を受信する状態の形成と共に、緊急を知らせる、予め設定された動画又は静止画の画像を表示手段により表示させる状態の形成をするための発信をするようにされたことを特徴とする。
請求項６の携帯電話機は、請求項４又は５記載の携帯電話機において、前記緊急キーが緊急用以外の機能をも果たすようにされたことを特徴とする。
【発明の効果】
【００１３】
請求項１の携帯電話機によれば、緊急時には単に緊急スイッチを操作するだけで、電源がオフ時であっても電源キーを操作することなく自動的に電源がオン状態になり、更に、予め設定しておいた緊急、例えば痴漢行為の被害を告げる音声が自動的に発せられる状態になる。
従って、携帯電話機が発生するその緊急、例えば痴漢行為の被害を告げる音声により緊急、例えば痴漢行為の被害が生じていることが周りの人に報される。
【００１４】
請求項２の携帯電話機によれば、音声のみならず、動画又は静止画の画像によっても、緊急、例えば痴漢行為の被害が生じていることが周りの人に報される。
請求項３の携帯電話機によれば、緊急キーが緊急用以外の用途を持つので、既存のキーの一つを緊急キーとして使用できるようにすることが可能となり、延いては、緊急用のためだけに一つのキーを設ける必要性をなくすことができ、キーの数を増やすことなく、請求項１、２の携帯電話機を得ることができる。
【００１５】
請求項４の携帯電話機によれば、緊急時に上記緊急キーを操作すると、電源がオン時には直ぐに、電源がオフ時には電源キーの操作を伴うことなく電源をオン状態にした後、予め設定された電話番号の電話機へ自動的に呼び出し、通話状態の形成を或いは緊急を告げる予め設定された音声の信号を受信する状態の形成をするための発信をするので、予め設定された電話番号の電話機の持ち主、使用者（例えば家族、友人）等へ通話（携帯電話機或いは通常の電話機）の持ち主の声や周りの音声等による通話）により、或いは予め設定しておいたメッセージの音声により緊急を報せることができる。
【００１６】
請求項５の携帯電話機によれば、動画又は静止画の画像によっても、緊急、例えば痴漢行為の被害が生じていることを予め設定された電話番号の電話機の持ち主、使用者（例えば家族、使用者（例えば家族、友人）等へ報せることができる。
請求項６の携帯電話機によれば、前記緊急キーが緊急用以外の機能をも果たすようにされたので、既存のキーの他に緊急専用のキーを設けることが必要ではなく、キーを増やすことなく緊急時における警報発生ができる。
【発明を実施するための最良の形態】
【００１７】
本発明の実施の形態の第１のものは、基本的には、緊急時に操作される緊急キーを少なくとも一つ備え、緊急時に上記緊急キーが操作されると、電源がオン時には直ぐに、電源がオフ時には電源キーの操作を伴うことなく電源をオン状態にした後、予め設定された緊急を告げる音声が音声発生手段から発するようにしたものであり、携帯電話機に既存のキーの他に専用の緊急キーを設けるようにしても良いが、既存のキーの一つを緊急キーとしても兼用するようにしても良い。
【００１８】
その兼用するようにする場合、そのキーは、例えば、押す時間が一定時間（例えば２〜５秒間）内ならば通常のキーとして機能し、一定時間以上ならば緊急キーとして機能するというように、操作の仕方の違いにより機能を切り換えるようにする。
尚、音声により緊急のメッセージを発するようにするだけではなく、動画或いは静止画による画像によっても緊急を周りの人に告げるようにしても良い。
【００１９】
本発明の実施の形態の第２のものは、基本的には、緊急時に操作される緊急キーを少なくとも一つ備え、緊急時に上記緊急キーが操作されると、電源がオン時には直ぐに、電源がオフ時には電源キーの操作を伴うことなく電源をオン状態にした後、予め設定された電話番号の電話機へ自動的に呼び出し、通話状態の形成を或いは緊急を告げる予め設定された音声の信号を受信する状態の形成をするための発信をするようにしたものであり、既存のキーの他に専用の緊急キーを設けるようにしても良いが、既存のキーの一つを緊急キーとしても兼用するようにしても良いこと、音声により緊急のメッセージを発するようにするだけではなく、動画或いは静止画による画像によっても緊急を予め設定された電話番号の電話機の持ち主、使用者に報せること、実施の形態の第１のものと同じである。
【実施例１】
【００２０】
以下、本発明を図示実施例に基いて詳細に説明する。
図１（Ａ）、（Ｂ）は本発明の一つの実施例（：実施例１）を示すものであり、（Ａ）は携帯電話機の回路構成の概略を示す回路ブロック図であり、（Ｂ）は携帯電話機が実行するプログラムのフローの概略を示すフローチャートである。
先ず、図１（Ａ）を参照して携帯電話機の回路構成の概略を説明する。
【００２１】
２は携帯電話機全体を制御する制御部の中核を成すＣＰＵ(Central Processing Unit)、４はＣＰＵ２が実行するプログラム等を記憶するＲＯＭ(Read Only Memory)、６はＣＰＵ２がプログラムを実行する上で必要な記憶を行うＲＡＭ(Rondom Accses Memory)、Ｋ１〜Ｋｎは携帯電話機に使用者が入力するとき操作するキースイッチ、ＰＫは携帯電話機の電源を投入したり、電源を切断したりするとき操作するキースイッチ（以下「電源キー」という。）、ＥＫは緊急時に警報を発生させ時に操作するキースイッチ（以下「緊急スイッチ」という。）、ＳＢはシステムバスである。
【００２２】
１０は無線回路で、アンテナＡを通じて受けた信号を携帯電話機に入力、即ち、受信したり、携帯電話機からアンテナＡを通じて外部に信号を出力、即ち、送信したりする。１２は画像回路で、画像信号を処理して例えば液晶表示素子等のディスプレイ１４に画像を表示させたり、固体撮像素子１６が撮像して得た画像信号を処理して上記無線回路１０を通じて外部に送信させたりする。
１８は音声回路で、音声信号を処理して例えばスピーカ２０に音声を発生させたり、マイクロフォン２２が収音した音声を音声信号に変換し、それを処理して上記無線回路１０を通じて外部に送信させたりする。
【００２３】
２４はイヤホーンジャックであり、イヤホーンで音声を聴くときにそのイヤホーンを接続するものである。
次に、図１（Ｂ）を参照して携帯電話機の動作の概略を説明する。
【００２４】
（Ｓ１）「ＰＫオン？」
プログラムがスタートすると、先ず、電源キーＰＫのオン操作により携帯電話機の電源がオンした状態になっているか否かを判定する。電源キーＰＫのオン操作とは、電源がオフした状態の時に電源キーＰＫを予め設定された時間押下し続けることにより電源をオフからオンにする操作である。
（Ｓ２）「電源オン」
上記ステップＳ１の判定結果がＹｅｓの時は携帯電話機の電源をオンの状態にする。
これにより、携帯電話機は通話、メールその他の携帯電話機が本来為し得る一般的な動作をすることが可能な状態になる。
【００２５】
（Ｓ３）「本来動作」
上記ステップＳ２の電源を投入する動作が終わると、携帯電話機の本来の動作、即ち、その機種に応じて予め設定された通話、メールその他の一般的な動作を行うためのプログラムを実行する。
（Ｓ４）「ＰＫオフ？」
上記ステップＳ３の動作を終えると、電源キーＰＫの電源オフ操作により携帯電話機の電源がオフした状態になっているか否かを判定する。電源キーＰＫのオフ操作とは、電源がオンした状態の時に電源キーＰＫを予め設定された時間押下し続けることにより電源をオンからオフにする操作である。
そして、判定結果がＮｏの時、即ち、まだ電源がオンのままの時、ステップＳ１に戻る。
【００２６】
（Ｓ５）「ＥＫオン？」
上記ステップＳ１の判定結果がＮｏの時は、緊急キーＥＫがオンされて緊急用モードにされたか否かを判定する。
本実施例においては、緊急キーＥＫを一定時間以上押し続けることにより緊急用モードにすることができるようになっており、本ステップＳ５はその緊急キーＥＫが一定時間以上押し続けられたか否かを判定するステップである。
【００２７】
そして、このステップＳ５の判定の結果がＮｏのとき、即ち、緊急用モードではないとき、ステップＳ１に戻る。
尚、本実施例において、緊急用モード下では警報設定モードと警報動作モードとのいずれかを選ぶことができるが、警報設定モードと警報動作モードについては後で説明する。
（Ｓ６）「電源オン」
上記ステップＳ５の判定の結果がＹｅｓのとき、即ち、緊急用モードのとき、携帯電話機の電源をオンの状態にする。これにより、携帯電話機は次に述べる緊急用モー下での動作をすることが可能な状態になる。
【００２８】
（Ｓ７）「ＥＫの警報設定用操作？」
上記ステップＳ６により電源が投入された後、上記緊急キーＥＫが警報設定用操作が為されたか否かを判定する。
本実施例においては、緊急時、例えば痴漢による被害を受けたとき警報を発するが、警報について複数種用意し、予め警報の種類を設定することができるようになっており、上記警報設定モードはその予め警報の種類を設定するモードである。
【００２９】
そして、その警報設定モードにするときは、上記ステップＳ６により電源が投入された後一定時間内に緊急キーＥＫを予め設定された操作、例えば一定の比較的短い時間内に所定回数（例えば２回或いは３回）連続して押下を繰り返すこととしている。
このステップＳ７はそのような緊急キーＥＫの警報設定用操作が為されたか否かを判定するものである。
（Ｓ８）「警報設定」
上記ステップＳ７の判定結果がＹｅｓのときは、警報の種類を設定する動作が可能となる。
具体的には、予め用意された複数の種類の警報の表示が為され、ユーザーがその複数種類の警報から一つの警報を選ぶ操作をすると、緊急用モードになったときに発する警報の種類がその選ばれたものとなるのである。尚、警報設定操作をしないときは、予め用意された複数種の警報のうちの特定の種類（例えば筆頭候補の種類）の警報が警報発生時に発せられるようになっている。
そして、警報設定動作が終わると、このフローはエンドになる。
【００３０】
尚、警報の種類には、緊急であることを示す音声による警報、或いは画像（つまり痴漢の被害発生等の現場で携帯電話機の撮像素子が撮像した画像をディスプレイに表示させ、それを周りの誰かに視て貰って緊急であることを報せる）による警報、或いは音声と画像の両方による警報、或いは携帯電話機から無線により予め設定された電話番号の電話機（例えば父兄、配偶者、友人、知人、会社の同僚等の電話機）へコールし、相手方の電話機において受信する操作が為され両電話機間に通話状態が形成された場合には、予め自己の携帯電話機に設定しておいた例えば音声による警報メッセージが送信され相手方の電話機にて受信されて発せられる警報等が挙げられる。
【００３１】
また、相手側電話機が携帯電話機の場合には、音声による警報メッセージの他、画像（動画或いは静止画）による警報をも送信し、相手側携帯電話機のディスプレイに画像を表示させて警報を発することもできる。画像の種類には、予め用意しておいた静止画像或いは現在自己の携帯電話機の撮像手段が撮像している動画像等が挙げられる。
音声による警報の種類としては、例えば、「痴漢です！助けてください！」、「た、す、け、て｝等、が挙げられるが、ユーザーが任意に音声入力した音声を警報として選ぶことができるようにすることが好ましい。
【００３２】
（Ｓ９）「警報動作」
上記ステップＳ７の判定結果がＮｏのときは、上記ステップＳ７で設定された種類の警報を発する。
（Ｓ１０）「ＥＫオフ？」
上記ステップＳ９が終わると緊急キーＥＫがオンされて緊急用モードが解除されたか否かを判定する。
本実施例においては、緊急用モード下で緊急キーＥＫを一定時間以上押し続けることにより緊急用モードを解除することができるようになっており、本ステップＳ１０はその緊急キーＥＫが一定時間以上押し続けられたか否かを判定するステップである。
そして、この判定結果がＮｏの時にはステップＳ１の戻り、ステップＳ１、Ｓ５、Ｓ６、Ｓ７、Ｓ９、Ｓ１０を経てステップＳ１に戻るループのフローが繰り返し実行され、警報が継続的に繰り返し実行され、判定結果がＹｅｓになるまで警報が続くことになる。
【００３３】
（Ｓ１１）「ＥＫオン？」
上記ステップＳ４の判定結果がＹｅｓの時、緊急キーＥＫがオンされて緊急用モードにされたか否かを判定する。このステップＳ１１は携帯電話機が電源を投入されたときに緊急事態が発生した時に警報を発することができるようにするためのものである。
この判定結果がＹｅｓのときは、前記ステップＳ９の警報動作を行う。
（Ｓ１２）「電源オフ？」
上記ステップＳ４の判定結果がＮｏの時、携帯電話機の電源をオフ状態にする。
その後、このフローはエンドになる。
【００３４】
本実施例によれば、 緊急時には単に緊急スイッチＥＫを操作するだけで、電源がオフ時であっても電源キーを操作することなく自動的に電源がオン状態になり、更に、予め設定しておいた緊急、例えば痴漢行為の被害を告げる音声や映像が自動的に発せられる状態になり、或いは無線電話による予め設定された電話番号の電話機（普通の電話機或いは携帯電話機）にコールし、相手が受信操作をして電話機間（自己の携帯電話機と相手側電話機）との間に通話状態が形成されたときに、自己の携帯電話機に予め設定記録された音声によるメッセージを相手の電話機に送ることができる。更には、相手側の電話機が携帯電話機の場合には、音声と共に画像、例えば自己の携帯電話機が現在撮像している画像をも送るようにすることができる。
従って、携帯電話機が発生するその緊急、例えば痴漢行為の被害を周りの人或いは予め設定された電話番号の電話機のユーザー等に報される。
【００３５】
尚、既存のキーの一つを特殊な操作をすることにより緊急キーとしても機能するようにすることができ、そのようにすると、緊急用の専用キーを設ける必要がなくなる。
【図面の簡単な説明】
【００３６】
【図１】（Ａ）、（Ｂ）は本発明の一つの実施例（：実施例１）を示すものであり、（Ａ）は携帯電話機の回路構成の概略を示す回路ブロック図であり、（Ｂ）は携帯電話機が実行するプログラムのフローの概略を示すフローチャートである。
【符号の説明】
【００３７】
２・・・ＣＰＵ、４・・・ＲＡＭ、６・・・ＲＯＭ、
１０・・・無線回路、１２・・・画像回路、１４・・・表示手段（ディスプレイ）、
１８・・・音声回路、２０・・・音声発生手段（スピーカ）、
ＰＫ・・・電源キー、ＥＫ・・・緊急キー、Ｋ１〜Ｋｎ・・・既存のキー。
【図１】
2008118403.tif 000003